(57)【特許請求の範囲】
【請求項１】
名刺挿入口と名刺取出し口とを有し、内部に複数枚の名刺を重ねて収納できる互いに固定された下部ケースと上部ケースとから成る収納ケースと、
収納された名刺全体を上部ケース側へ押し上げる名刺押上げ手段と、
前記複数枚の名刺の最上部のものを係止する係止部を有する部材を具え、前記上部ケースに前記名刺取出し口へ向けてスライド可能に設けた名刺取出し機構と、
前記名刺取出し機構により押し出される名刺の先端部分を斜め下方へ向けて傾斜させるよう前記名刺取出し口近くに設けたガイド部と、
前記複数枚の名刺の最上部のものから２枚目及びそれより下部のものが前記名刺取出し口から押し出されるのを阻止するよう前記名刺取出し口近くに設けたストッパと、
を備えると共に、
前記名刺挿入口に開閉カバーを設け、前記開閉カバーの押下げ操作により、開閉カバーと共に前記名刺押上げ手段が押し下げられるよう構成したことを特徴とする、名刺入れ。
【請求項２】
前記名刺取出し機構の前記係止部を、２段以上の段差形状に形成したことを特徴とする、請求項１に記載の名刺入れ。
【請求項３】
前記収納ケースの前記開閉カバーを設けた側とは反対側に開閉可能な透明窓部材を設けたことを特徴とする、請求項１に記載の名刺入れ。
【請求項４】
前記下部ケースの下面にポケット部を設けたことを特徴とする、請求項１に記載の名刺入れ。
【発明の詳細な説明】
【技術分野】
【０００１】
本発明は、複数枚の名刺を収納させておき、必要に応じて１枚ずつ連続して確実に、或いは１枚ずつ半自動的に確実に取り出すことができると共に、従来品の種々の不具合を解消し得る名刺入れに関する。
【背景技術】
【０００２】
従来、複数枚の名刺を収納させた収納ケースに名刺の取出し口を設け、収納ケース底部に設けた板バネのような弾性手段を用いた押上げ手段で名刺を上方へ押し上げ、押し上げた名刺を蓋部の側に設けた窓部より指を入れて指と名刺との間の摩擦力によって名刺をスライドさせ１枚ずつ取出し口より押し出すことのできるものや、同じく押上げ手段を有し、蓋部の側に取出し釦部材を摺動可能に取り付け、この取出し釦に設けた係止部で最上段の名刺の端部を係止して取出し口より押し出すことができるようにしたものが、下記特許文献１と２に示したように公知である。
【０００３】
このうち特許文献１に記載された名刺入れは、指で収納ケース内に収納された名刺を押し出すために、強く名刺を押すと、名刺が下方へ沈むことから、取出し口から取り出しにくくなるという問題があり、この問題点は、収納ケース内にある名刺の数が少なくなると、押上げ手段の弾性手段の弾力が弱まることから、より増幅されるという問題があった。
【０００４】
また、特許文献２に記載された名刺入れは、取出し釦部材の係止部で名刺の端部を引掛けて、取出し釦部材を押すことで名刺を取出し口へ押し出すものであるが、取出し釦部材の係止部で係止する部分が名刺の厚さ分しかないため、しばしば名刺を係止することに失敗し、何度もやり直さなくてはならないという問題が生じた。また、この特許文献２に記載された名刺入れは、名刺を取り出す度に取出し釦を手動で元位置に戻さなくてはならず、操作が煩雑であるという問題もあった。
【０００５】
そのような問題点を解決するため、本発明者は、先に下記特許文献３に係る発明を開示した。
【先行技術文献】
【特許文献】
【０００６】
【特許文献１】第３１０８２１０号実用新案登録公報
【特許文献２】実開昭６２−６３０２０号公報
【特許文献３】特願２０１０−１５４８２６号
【発明の概要】
【発明が解決しようとする課題】
【０００７】
然しながら、これらの特許文献に記載の発明を含め、従来の名刺入れは、未だに次のような種々の不具合を有していた。
即ち、（１）名刺を１枚だけ送り出す際に誤動作が生じやすく、１枚も出てこなかったり、二枚以上出てきたりすることがある、（２）収納した名刺を最後のものまで確実には取り出せないことがある、（３）耐久性能が悪い、（４）可動式の蓋を用いたものは機能が不安定である、（５）名刺入れ全体が厚くなる、（６）名刺の収納作業や取替えがしづらい、（７）収納ケース内の名刺の残量が分からない、（８）受け取った名刺等を一時保管できない、等々の不具合を有しており、多くの改良の余地が残されていた。
【０００８】
本発明は上記不具合を解決するためになされたもので、その目的とするところは、収納ケース内に収納させた名刺を最後のものまで１枚ずつ連続して確実に、或いは１枚ずつ半自動的に確実に取り出すことができ、耐久性能に優れ、薄型で、名刺の収納作業や取替えが容易であり、収納ケース内の名刺の残量が見えやすく、他人から受け取った名刺等を一時保管することも可能な名刺入れを提供せんとするにある。
【課題を解決するための手段】
【０００９】
上述した目的を達成するために、本発明は、特許請求の範囲の各請求項に記載のように下記の如く構成される。
即ち、請求項１に記載の本発明に係る名刺入れは、名刺挿入口と名刺取出し口とを有し、内部に複数枚の名刺を重ねて収納できる互いに固定された下部ケースと上部ケースとから成る収納ケースと、収納された名刺全体を上部ケース側へ押し上げる名刺押上げ手段と、前記複数枚の名刺の最上部のものを係止する係止部を有する部材を具え、前記上部ケースに前記名刺取出し口へ向けてスライド可能に設けた名刺取出し機構と、前記名刺取出し機構により押し出される名刺の先端部分を斜め下方へ向けて傾斜させるよう前記名刺取出し口近くに設けたガイド部と、前記複数枚の名刺の最上部のものから２枚目及びそれより下部のものが前記名刺取出し口から押し出されるのを阻止するよう前記名刺取出し口近くに設けたストッパと、を備えると共に、前記名刺挿入口に開閉カバーを設け、前記開閉カバーの押下げ操作により、開閉カバーと共に前記名刺押上げ手段が押し下げられるよう構成したことを特徴とする。
【００１０】
請求項２に記載の本発明に係る名刺入れは、前記名刺取出し機構の前記係止部を、２段以上の段差形状に形成したことを特徴とする。
請求項３に記載の本発明に係る名刺入れは、前記収納ケースの前記開閉カバーを設けた側とは反対側に開閉可能な透明窓部材を設けたことを特徴とする。
請求項４に記載の本発明に係る名刺入れは、前記下部ケースの下面にポケット部を設けたことを特徴とする。
【発明の効果】
【００１１】
本発明によれば、請求項１に係る発明は、収納ケース内の名刺全体を上部ケース側へ押し上げる名刺押上げ手段と、複数枚の名刺の最上部のものを係止する係止部を有する部材と、前記複数枚の名刺の最上部のものから２枚目及びそれより下部のものが前記名刺取出し口から押し出されるのを阻止するストッパとの協働作用により、収納ケース内の名刺を１枚ずつ連続して確実に、或いは１枚ずつ半自動的に確実に取出し口から外側へ押し出すことができる。また、名刺の収納ケースは、下部ケースと上部ケースを堅固に固定して成るものであり、その上部ケースに名刺取出し機構を設けたから、従来の可動式の蓋に名刺取出し機構を設けたものに比べて、作動が安定し、耐久性も向上する。また、前記名刺挿入口に開閉カバーを設けることにより、収納ケース自体の一部を可動式の蓋とする場合に比べて、動作の安定性が確保され、名刺の収納、取替え作業も容易となる。また、前記開閉カバーの押下げ操作により前記名刺押上げ手段の押上げプレートも一緒に押し下げられるように構成したことにより、前記名刺挿入口からの名刺の収納作業や取替え作業が容易となる。
【００１２】
請求項２に係る発明は、前記名刺取出し機構の前記係止部を、２段以上の段差形状に形成したことにより、仮に１段目で名刺の引っ掛け動作に失敗したとしても、２段目以降の段差部で引っ掛けることができるので、名刺の確実な送出し機能が達成できる。
【００１４】
請求項３に係る発明は、前記収納ケースの前記開閉カバーを設けた側とは反対側に開閉可能な透明窓部材を設けたことにより、収納ケース内部の名刺の残量を外部から透視でき、確認できる。また、当該透明窓部材を開閉可能としたことにより、当該透明窓部材と前記開閉カバーとの両方を開け、透明窓部材を明けた開口から指を差し入れ、内部の名刺全体の側辺を指で押すことによって、反対側の名刺挿入口からそれらの名刺をまとめて取り出すことができるので、名刺全体の入れ替え作業が容易となる。
【００１５】
請求項４に係る発明は、前記下部ケースの下面にポケット部を設けたことにより、他人から受け取った名刺やキャッシュカード等をこのポケット部に一時的に保管することができる。
【図面の簡単な説明】
【００１６】
【図１】本発明に係る名刺入れを一方の側から見た斜視図である。
【図２】本発明に係る名刺入れを他方の側から見た斜視図である。
【図３】本発明に係る名刺入れに複数枚の名刺を収納させる状態を示す斜視図である。
【図４】本発明に係る名刺入れから名刺を１枚取り出す状態を示す斜視図である。
【図５】本発明に係る名刺入れの名刺挿入口の開閉カバーと、反対側の透明窓部材とを開いた状態を示す斜視図である。
【図６】本発明に係る名刺入れの図５に示した状態において、内部の名刺を入れ替える様子を示す斜視図である。
【図７】本発明に係る名刺入れの分解斜視図である。
【図８】本発明に係る名刺入れの図１におけるＡ−Ａ線断面図である。
【図９】本発明に係る名刺入れの図８に示した状態から名刺を１枚取り出す状態を示す断面図である。
【図１０】本発明に係る名刺入れの図８中のＣ部分の拡大断面図である。
【図１１】本発明に係る名刺入れの図９中のＤ部分の拡大断面図である。
【図１２】本発明に係る名刺入れの図１におけるＢ−Ｂ線断面図である。
【図１３】本発明に係る名刺入れの図１２中のＥ部分において、名刺挿入口の開閉カバーを開いた状態を示す拡大断面図である。
【図１４】本発明に係る名刺入れにおける名刺取出し機構の自動復帰手段の名刺の取出し動作開始前の状態を示す説明図である。
【図１５】本発明に係る名刺入れにおける名刺取出し機構の自動復帰手段の名刺の取出し動作終了時の状態を示す説明図である。
【図１６】本発明に係る名刺入れの下部ケースの下面に設けたポケット部を示す斜視図である。
【図１７】本発明に係る名刺入れの下部ケースの（ａ）平面図、（ｂ）底面側から見た斜視図である。
【図１８】本発明に係る名刺入れの上部ケースの底面図である。
【図１９】本発明に係る名刺入れの押上プレートの底面側から見た斜視図である。
【図２０】本発明に係る名刺入れの開閉カバーの内面側の構成を示す斜視図である。
【図２１】本発明に係る名刺入れの透明窓部材の下側斜視図である。
【図２２】本発明に係る名刺入れの取出し釦部材の下側斜視図である。
【図２３】本発明に係る名刺入れの名刺取出機構の押出しプレートの下側斜視図である。
【図２４】本発明に係る名刺入れの名刺取出機構の自動復帰手段のバネ収容カバーの平面図である。
【発明を実施するための形態】
【００１７】
以下に本発明に係る名刺入れの実施例を図面に基づいて説明する。
【実施例】
【００１８】
図面によれば、この実施例に係る本発明の名刺入れ１は、図１〜図６に示す如く、名刺挿入口４１と名刺取出し口４２とを有し、内部に複数枚の名刺Ｍを重ねて収納できる互いに固定された下部ケース２と上部ケース３とから成る収納ケース４を有している。下部ケース２と上部ケース３とは、下部ケース２のネジ挿通穴２４（図７）に挿通され上部ケース３の止めネジ穴３９（図１８）にねじ込まれる固定ネジ４０によって互いに堅固に固定される。或いはまた、カシメ、溶着、接着等の各種固定手段でもよく、下部ケース２と上部ケース３とを堅固に固定できれば、その手段は問わない。収納ケース４の内部には、収納された名刺全体Ｍを上部ケース側へ押し上げる名刺押上げ手段５が設けられる。
上部ケース３には、図７に示す如く、その略中央部に明けた窓部３３を通じて、止めネジ６３により互いに固定された内部側の押出しプレート６２と外側の取出し釦部材６１とから成る名刺取出し機構６が、窓部３３に沿って前記名刺取出し口４２へ向けてスライド可能なように取り付けられている。前記押出しプレート６２は、前記複数枚の名刺Ｍの最上部の名刺ｍ１を係止する係止部６２１を有している。名刺取出し機構６の詳細については、図７〜図１０を参照して後述する。
【００１９】
前記名刺取出し口４２の近くには、前記名刺取出し機構６により押し出される名刺の先端部分を斜め下方へ向けて傾斜させるガイド部３７が設けられると共に、前記複数枚の名刺の最上部のものから２枚目及びそれより下部のものが前記名刺取出し口４２から押し出されるのを阻止するストッパ２３（図７、図１１）とが設けられる。
ストッパ２３は、図７に示す如く、下部ケース２の前側の周壁部２０ｂの中央領域を二重構造とし、その内側の周壁部２０ｇの上辺を傾斜させて形成し、その最も高い箇所をストッパ２３としたものである。このストッパ２３の頂点と上部ケース３の前記ガイド部３７との間には、最上部の名刺１枚だけが通過し得る隙間が形成されると共に（図８、図９、図１１）、ガイド部３７により名刺取出し口４２が下向きに傾斜しているため、１枚目が取出し口へ押し出されると、２枚目以降が押し下げられる効果があり、これにより前記隙間を最上部の名刺１枚だけが通過し、２枚目から下の名刺の通過を効果的に阻止するようになっている。なお、ストッパ２３の形態や設置箇所は、図示したものに限定されず、各種各様の方式のものが可能である。
【００２０】
下部ケース２と上部ケース３は、好適にはいずれも合成樹脂材料で成形することにより製造した成形品であり、下部ケース２は底板２０ａ（図７）と、この底板２０ａの周囲に設けた周壁部２０ｂ〜２０ｆとを有している。上部ケース３は上板３０ａと、この上板３０ａの周囲を囲んで設けた周壁部３０ｂ〜３０ｇとを有している。前記下部ケース２の前側の周壁部２０ｂの上端縁は一段低い凹部２２として形成され、上部ケース３の前側の周壁部３０ｂと重ね合わせたとき、名刺取出し口４２（図２〜図４参照）が形成されるようになっている。
【００２１】
前記名刺取出し機構６は、前記の如く、前記上部ケース３の略中央部に取り付けられ、上部ケース３の略中央部に明けた窓部３３のレール部３４に沿って前後方向へスライド可能なようになっている。即ち、名刺取出し機構６は、上部ケース３の略中央部に明けた窓部３３において、上部ケース３の内面側に設けられる押出しプレート６２と、前記上部ケース３の外面側に設けられ、複数の止めネジ６３により前記押出しプレート６２に固定される取出し釦部材６１と、により構成され、窓部３３のレール部３４に沿って前後方向へスライド可能なようになっている。
【００２２】
押出しプレート６２の下面の前記係止部６２１は、図１０等に示すように２段、若しくはそれより多い段数の段差形状に形成することが望ましい。そうすることにより、仮に１段目で最上部の名刺ｍ１の引っ掛け動作に失敗したとしても、２段目以降の段差部で引っ掛けることができるので、名刺の確実な送出し機能が確保できるからである。
【００２３】
また、取出し釦部材６１は、指で操作し易くするためにその上面６１１に凹凸形状が形成されると共に、下面６１２（図２２）には、押出しプレート６２と固定する止めネジ６３をねじ込むためのネジ穴６１３が設けられ、上面６１１と下面６１２との間には段差部６１４が形成されている。また、押出しプレート６２（図２３）には、前記係止部６２１のほか、前記止めネジ６３を挿通するためのネジ穴６２２と、弦巻バネ７１の一端側の動きを許容するための凹部６２３（図７）が形成されている。取出し釦部材６１と押出しプレート６２を固定すると、前記段差部６１４により取出し釦部材６１の下面と押出しプレート６２の上面の間にスペースが形成され、そのスペースに前記窓部３３のレール部３４を挟み込むことにより、名刺取出し機構６をレール部３４に沿って前後方向へスライド可能に保持するようになっている。
ユーザーが取出し釦部材６１を、図１、図２、図８、図１０等に示した状態から前方向へスライドさせると、押出しプレート６２の下面の後端部に設けた係止部６２１が、収納ケース４の複数の名刺Ｍの最上部の名刺ｍ１の後端部を引っ掛けた状態で前方向へ押し動かすことができる（図９参照）。
【００２４】
図示した実施例において、前記名刺取出し機構６には、名刺取出し操作後に、押出しプレート６２等を原位置に自動復帰させる自動復帰手段７が設けられている。この自動復帰手段７は、図７、図１４、図１５に示したように、弦巻バネ７１とバネ収容カバー７２とから成り、バネ収容カバー７２は、複数の取付けネジ７３で上部ケース３の内面の自動復帰手段取付け領域３８（図１８参照）に取り付けられると共に、バネ収容カバー７２の収装凹部７２１に弦巻バネ７１の主体部７１１を収容するようになっている。弦巻バネ７１は、その一方の端部７１２を止めネジ７４で旋回可能に保持し、他方の端部７１３を押出しプレート６２に設けた切欠部６２１へ挿入させつつ前記止めネジ６３の１本のもので旋回可能に保持させている。尚、図２４において指示記号７２２、７２３で示されたものは、図１５に示したように、取付けネジ７３と止めネジ７４の取付用孔である。
図１４に示す如く、名刺の取出し動作開始前の状態から、ユーザーが取出し釦部材６１を弦巻バネ７１のバネ力に抗して指で前方向へスライドさせ、図１５に示すような名刺の取出し動作終了位置まで移動させた後、取出し釦部材６１から指を離すと、弦巻バネ７１の復原力により、取出し釦部材６１及び押出しプレート６２から成る名刺取出し機構６は、図１４に示した原位置へ復帰するものである。
【００２５】
なお、この自動復帰手段７は、弦巻バネに代えて引張コイルスプリングや圧縮コイルスプリング、スネークスプリング、或いは板バネその他の弾性手段を用いるようにしても良い。弦巻バネ７１にすると、収納ケース４の厚みを極力薄くすることができる、また、扁平な線材を用いた弦巻バネとすると、収納ケース４の厚みを更に薄くすることが可能である。
また、この自動復帰手段７は、弾性手段の構成及び設置を工夫することにより、名刺の押し出し時と押し出し後の復帰時の両方を半自動で行うように構成することも可能である。
なお、バネ収容カバー７２を設けた理由は、弦巻バネ７１が露出していると、名刺に引っ掛かる等の誤動作を生じる可能性があるため、これを無くするためである。
【００２６】
前記名刺押上げ手段５は、前記収納ケース４内で上下方向に移動可能な押上げプレート５１（図７〜図１３参照）と、当該押上げプレート５１を押し上げるよう当該押上げプレート５１と前記下部ケース２との間に設けた複数の弾性手段５２と、で構成される。
前記押上げプレート５１の前後及び左右の長さを、収納すべき名刺のそれと略同等以上とすることにより、名刺の反りや歪みを防止でき、１枚ずつの名刺の取出し動作の誤動作が解消されると共に、名刺の大きさのバラツキにも対応できる。
前記複数の弾性手段５２としては、複数の圧縮コイルバネが好適に用いられる。コイルバネは、伸縮率が大きく、多数枚の名刺を収容しても収納ケース４を薄くできるためである。また、弾性率の調整も容易であり、使用状況に応じて最適の調整が可能であると共に、名刺の押さえ機能を安定させ得るためである。
収納ケース４の厚さを携帯に便利な厚さにしたとき、通常の名刺であれば１５枚程度収納可能である。
【００２７】
前記の各弾性手段５２の下端部は、下部ケース２の底板２０ａの内面に設けた複数のバネ受皿部２５内に嵌め入れ、上端部は、押上げプレート５１の支台面５１１の下面に設けた複数のバネ受皿部５１２内に嵌め入れる。これらのバネ受皿部は、下部ケース２や押上げプレート５１と一体的に成形してもよいし、ネジ止めするようにしてもよい。このように弾性手段５２の下端部及び上端部を前記バネ受皿部内に嵌め入れることによって、これらの圧縮コイルバネの変形や誤動作を防ぐことが可能となる。また、圧縮コイルバネの下端部及び上端部をバネ受皿部内に嵌め入れるだけでよいので、板バネ等を接着したりネジ止めしたりする従来品に比べると、製造コストが軽減されるという効果もある。
【００２８】
また、図示した実施例においては、弾性手段５２の数と配置を、前記名刺取出し機構６が最上部の名刺ｍ１を引っ掛けて押し出す中央部においては、３個の弾性手段５２を設けて、前記引っ掛け動作を安定化させると共に、左右の端部近くにおいては２個ずつの弾性手段５２を設けて、名刺の挿入時や取出し操作時に過度な圧力を避け、それらの操作がスムーズに行われ得るようにするために、押上げプレート５１の領域に応じて押上げ荷重の差を生じさせるようになっている。これは、前記圧縮コイルバネ等の複数の弾性手段の数や配置に限らず、弾性手段の形態や取付け方法についても種々変化させることにより、押上げプレート５１の領域に応じて押上げ荷重の差を生じさせることができる。
【００２９】
図示した実施例において、前記名刺挿入口４１には、名刺挿入口開閉手段８が設けられる。この名刺挿入口開閉手段８は、開閉カバー８１及びそのロック機構８３から成り、開閉カバー８１は弾性手段としての圧縮コイルバネ８２によって上方向（閉じる方向）へ付勢されるようになっている。
名刺挿入口４１の開閉カバー８１は、図７、図１２、図１３、図２０等に示す如く、上壁８１１、左壁８１２、前壁８１３、後壁８１４、突起８１５、バネ受皿部８１６、係止フック８１７を有し、収納ケース４を組み立てる際に、下部ケース２の名刺挿入口形成開口部２１と上部ケース３の名刺挿入口形成開口部３１との位置に嵌め入れられ、前記突起８１５が下部ケース２のガイド溝２７及び上部ケース３のガイド溝３１１内に収容され、上下方向にスライド可能なように取り付けられる。圧縮コイルバネ８２は、その下端が下部ケース２に設けたバネ受皿部２６に嵌め入れられ、上端が開閉カバー８１の上壁８１１の内面に設けたバネ受皿部８１６に嵌め入れられることにより、開閉カバー８１は圧縮コイルバネ８２により押し上げられ、常態においては閉じるようになっている。
【００３０】
開閉カバー８１の上壁８１１を押して、開閉カバー８１を押し下げると、開閉カバー８１の上壁８１１の内面が押上げプレート５１の押下げ突部５１３に当接し、開閉カバー８１と一緒に押上げプレート５１が押し下げられる（図３、図１３参照）。これにより、複数枚の名刺Ｍを名刺挿入口４１から挿入したり、取り替えたりする作業が容易となる。この場合、押上げプレート５１の名刺挿入口４１側が先ず押し下げられ、奥側は未だ押し下げられた状態にはなく、傾斜した状態となっているが、名刺Ｍを挿入するに従い、奥側も次第に押し下げられると共に、名刺Ｍの最上部のものの高さは前記押出しプレート６２によって規制されるため、最終的に図１２に示すように、押上げプレート５１は下部ケース２の底板２０ａと平行となった状態で名刺Ｍが収納される。また、名刺Ｍを奥まで充分に押し入れると、名刺の先端は下部ケース２の奥壁２０ｈに突き当たってすべての名刺の先端が揃えられる。
なお、開閉カバー８１を充分に押し下げると、開閉カバー８１の左壁８１２の内壁面に設けた前記係止フック８１７が下部ケース２の底板２０ａの端縁部に係止され（図１３）、開閉カバー８１が開いた状態が保たれるようになっている。これにより、名刺の出し入れ作業が容易となる。開閉カバー８１の下辺を図７、図１３において左方向に引くと、係止フック８１７が外れ、圧縮コイルバネ８２の押上げ力で開閉カバー８１が自動的に閉じられる。
【００３１】
なお、図示した実施例においては、名刺入れを持ち歩いている際に不用意に開閉カバー８１が開かないようにするために、図７に示す如く、開閉カバー８１の閉鎖状態を保持するロック機構８３が、上部ケース３に設けられている。このロック機構８３は、ロック釦部材８４と、ロック片８５と、これらを互いに連結する固定ビス８６とから成り、上部ケース３に明けたロック釦部材収容孔３２に、図７中において左右方向へスライド可能なように取り付けられている。即ち、上部ケース３の外側に設けられるロック釦部材収容孔３２と、上部ケース３の内側に設けられるロック片８５とを、ロック釦部材収容孔３２を通じて固定ビス８６により互いに固定し、ロック釦部材８４を左方向へスライドさせると、ロック片８５が開閉カバー８１の上壁８１１の下に進入して開閉カバー８１が下方へ押し下げられるのを阻止し、開閉カバー８１が開くのを防止する。開閉カバー８１を開くときは、ロック釦部材８４を右方向へスライドさせると、ロック片８５が開閉カバー８１の上壁８１１の下から無くなり、開閉カバー８１を下方へ押し下げることが可能となる。
【００３２】
図示した実施例においては、内部の名刺の残量が外部から分かるように、前記収納ケース４の前記開閉カバー８１を設けた側とは反対側に透明窓部材９を設けてある。
また、この透明窓部材９は開閉可能とし、図５及び図６に示したように、この透明窓部材９と開閉カバー８１とを開いた状態で、透明窓部材９の側から指を差し入れ、内部の名刺全体を反対側の名刺挿入口４１からまとめて取り出すことができるようにして、名刺全体の入れ替え作業が容易となるようにする。透明窓部材９を開閉可能とするため、図示した実施例においては、上部ケース３の左辺側に透明窓部材収容切欠き部３５を形成し（図７参照）、その内壁面に設けた突起軸３６ａに、透明窓部材９の側壁に形成した軸受孔９１を嵌め合わせる。また、透明窓部材９の側壁に係止爪９２を形成し（図７、図２１参照）、透明窓部材９を閉じたときに、この係止爪９２が前記透明窓部材収容切欠き部３５の内壁面に形成した係止溝３６ｂと係合して、透明窓部材９が不用意に開くのを防止するようにする。
【００３３】
図示した実施例において、前記下部ケース２の前側の周壁部２０ｂの上端縁は一段低い凹部２２として形成され（図７参照）、上部ケース３の前側の周壁部３０ｂと重ね合わせたとき、名刺取出し口４２（図２〜図４参照）が形成されるようになっている。このように、名刺取出し口４２を下部ケース２と上部ケース３の接合部に沿って設けることにより、名刺取出し口４２における名刺の引っ掛かりによる誤動作が防止される。
【００３４】
更にまた、図示した実施例においては、他人からもらった名刺や、キャッシュカード、乗車券、領収書などを一時的に保管しておくために、下部ケース２の下面にポケット部２９を設けてある。このポケット部２９は、前記下部ケース２の下面に形成した凹所２９１と、その上を覆うカバープレート１０とにより形成される（図７〜図１３、図１６、図１７参照）。カバープレート１０は例えば塩化ビニール等の透明な合成樹脂で作製され、その１辺（図７、図１６に示した例では左側の円弧状の１辺）を残して、残りの３辺の辺縁部を、下部ケース２の下面に形成した凹所２９１の周囲の一段高い土手部２９２に前記固定ネジ４０で取り付けるものである。或いはまた、接着若しくは超音波溶着等の手段で接合するようにしてもよい。カバープレート１０の中央に明けた孔１０１は、ポケット部内の収容物を指先で出し入れ口側へ送るためのものであり、奥側のコの字形の孔１０２は奥まで入り込んだ収容物を取り出し易くするための孔である。
【００３５】
次に、本発明に係る名刺入れの作用効果について説明する。
まず、図３に示したように、本発明に係る名刺入れ１の収納ケース４内に名刺を収納する際には、前記ロック機構８３のロックを解除し、開閉カバー８１を押し下げて名刺挿入口４１を開かせる。そのとき、図示した実施例においては、開閉カバー８１を押し下げると、前記の如く、押上プレート５１も開閉カバー８１により押し下げられるようになっており、また、開閉カバー８１の内面に形成した前記係止フック８１７が下部ケース２の底板２０ａの端縁部に係止され、開閉カバー８１が開いた状態が保たれるようになっているので、多数枚（例えば１５枚程度）の名刺Ｍの挿入作業が容易となっている。
また、本発明では、名刺の収納操作や入替え操作を、上部ケース３と下部ケース２を取り外して行うのではなく、上部ケースと下部ケースは固定ネジ４０により固定したままで、収納ケース４の側面に設けた名刺挿入口４１から行えるようにしたため、収納ケース自体を堅牢にでき、耐久性能が向上する。
【００３６】
名刺を１枚取り出す場合には、上部ケース３の上面にスライド可能に取り付けられている取出し釦部材６１を前方向へスライドさせると、前記押出しプレート６２の下面の後端部に設けた係止部６２１が、収納ケース４内の複数の名刺Ｍの最上部の名刺ｍ１の後端部を引っ掛けた状態で前方向へ押し動かす（図９参照）。このとき、押し出される名刺の先端部分は、前記名刺取出し口４２近くに設けられたガイド部３７によって斜め下方へ向けて傾斜させられると共に、ストッパ２３によって、２枚目の名刺ｍ２及びそれより下部の名刺は名刺取出し口４２から押し出されるのを阻止されるため、最上部の名刺１枚だけが確実に取り出され得る（図４）。また、押出しプレート６２の下面の前記係止部６２１は、２段、若しくはそれより多い段数の段差形状に形成されているため、仮に１段目で最上部の名刺の引っ掛け動作に失敗したとしても、２段目以降の段差部で引っ掛けることができるので、名刺の確実な送出し機能が確保できるものである。また、取出し釦部材６１は、前記自動復帰手段７により、常に所定位置で待機状態にあるので、次に取り出すときも取出し釦部材６１を元の位置に戻す必要がなく、操作性がよい。
収納する名刺よりも大きなサイズの押上げプレート５１を用いることにより、名刺の反りや歪みが生じることがなく、最後の１枚の名刺まで確実に取り出すことができる。
また、押上プレート５１を押し上げる弾性手段として、伸縮率の大きな圧縮コイルバネを用いることにより、収納ケースの厚さを薄くすることができる。
【００３７】
収納ケース４内の名刺の残量を確認したい場合は、透明窓部材９を通じてこれを確認できる。なお、開閉カバー８１を透明な部材で作製した場合には、開閉カバー８１を通じて透視するようにしてもよい。
収納ケース４内の多数の名刺をまとめて取り出したり、入れ替えたりする場合には、透明窓部材９と前記開閉カバー８１の両方を開いた状態（図５）で、透明窓部材９の側から指を差し入れ、内部の名刺全体を反対側の名刺挿入口４１からまとめて取り出すようにし（図６）、続けて、別の名刺を名刺挿入口４１から収納するようにすれば、名刺全体の入れ替え作業が容易となる。
他人から受け取った名刺等は、ポケット部２９に一時的に保管できる。
【産業上の利用可能性】
【００３８】
本発明は以上のように構成したので、収納ケース内に収納させた名刺を最後のものまで１枚ずつ半自動で確実に取り出すことができ、耐久性能に優れ、薄型で、名刺の収納作業や取替えが容易であり、収納ケース内の名刺の残量が見えやすく、他人から受け取った名刺等を一時保管することも可能な優れた名刺入れを提供し得るものである。
【符号の説明】
【００３９】
Ｍ  複数枚の名刺
１      名刺入れ
２      下部ケース
２３    ストッパ
２９    ポケット部
３      上部ケース
３７    ガイド部
４      収納ケース
４１    名刺挿入口
４２    名刺取出し口
５      名刺押上げ手段
６      名刺取出し機構
６１２  下面
６１４  段差部
６２１  係止部
７１２，７１３  端部
８１    開閉カバー
９      透明窓部材
【図１】
0005791924.tif 000002
【図２】
0005791924.tif 000003
【図３】
0005791924.tif 000004
【図４】
0005791924.tif 000005
【図５】
0005791924.tif 000006
【図６】
0005791924.tif 000007
【図７】
0005791924.tif 000008
【図８】
0005791924.tif 000009
【図９】
0005791924.tif 000010
【図１０】
0005791924.tif 000011
【図１１】
0005791924.tif 000012
【図１２】
0005791924.tif 000013
【図１３】
0005791924.tif 000014
【図１４】
0005791924.tif 000015
【図１５】
0005791924.tif 000016
【図１６】
0005791924.tif 000017
【図１７】
0005791924.tif 000018
【図１８】
0005791924.tif 000019
【図１９】
0005791924.tif 000020
【図２０】
0005791924.tif 000021
【図２１】
0005791924.tif 000022
【図２２】
0005791924.tif 000023
【図２３】
0005791924.tif 000024
【図２４】
0005791924.tif 000025